(57)【特許請求の範囲】
【請求項１】
読取口を有するケースと、
前記ケース内に設けられ、情報コードに対して前記読取口を介して照明光を照射する照明手段と、
前記照明光及び前記ケース外からの光が透過可能となる透光部材からなり、前記読取口に配される防塵プレートと、
所定の受光領域を備えた撮像手段と、
所定の第１視野範囲において前記ケース外から前記防塵プレートを透過して入り込む光の像を前記受光領域に結像可能に構成され、前記第１視野範囲内に前記情報コードが配されたときに当該情報コードの像を前記受光領域に結像させる結像手段と、
を備え、
前記防塵プレートは、前記結像手段の前記第１視野範囲において前記撮像手段が設けられる側とは反対側に凸となるように内面が湾曲する湾曲部が設けられており、
前記ケース内からの光が前記湾曲部の内面で反射して生じる内面反射光を前記結像手段が前記受光領域に結像させるときの視野範囲を第２視野範囲としたとき、前記照明手段が前記第２視野範囲から外れた位置に配置されていることを特徴とする光学的情報読取装置。
【請求項２】
前記結像手段は、少なくとも一部が前記第２視野範囲内に位置しており、
前記第２視野範囲において前記ケース内からの光が前記湾曲部の内面に到達するまでの範囲が、前記結像手段に近づくにつれて次第に狭くなるように構成されていることを特徴とする請求項１に記載の光学的情報読取装置。
【請求項３】
前記結像手段は、所定位置を主点とする結像レンズからなり、
前記湾曲部の内面は、前記結像レンズの前記主点を中心とする仮想球面上に位置するように構成されていることを特徴とする請求項１又は請求項２に記載の光学的情報読取装置。
【請求項４】
前記防塵プレートは、前記湾曲部が形成されている部位の厚さが略均一となるように構成されていることを特徴とする請求項１から請求項３のいずれか一項に記載の光学的情報読取装置。
【請求項５】
当該光学的情報読取装置は、載置面上に載置される据置型装置として構成されており、
前記結像手段によって構成される前記第１視野範囲の中心軸上に前記湾曲部の頂点が位置していることを特徴とする請求項１から請求項４のいずれか一項に記載の光学的情報読取装置。
【発明の詳細な説明】
【技術分野】
【０００１】
本発明は、光学的情報読取装置に関するものである。
【背景技術】
【０００２】
従来、バーコードやＱＲコード（登録商標）等の情報コードを光学的に読み取る光学的情報読取装置が提供されている。光学的情報読取装置は、例えば、当該読取装置のケースに設けられた読取口から照明光を情報コードに対して照射し、情報コードからの反射光に基づき情報コードを撮像して読み取る構成が一般的である。そして、このような光学的情報読取装置では、ケース内に配置される照明系や撮像光学系の部品を塵埃などから保護するため、読取口を閉塞する構成で透光性の防塵プレートが配置される場合がある。
【０００３】
ところで、このように、防塵プレートを読取口に配置する場合、ケース内から出射される照明光がこの防塵プレートで鏡面反射を起こし、撮像される情報コードの画像に、この照明光が映り込み、適切な情報コードの読み取りができなくなる虞がある。そこで、このような問題を解消すべく、例えば、下記特許文献１のような技術が提供されている。
【０００４】
特許文献１には、ＣＣＤイメージセンサ（４１）（受光手段）、鏡筒（４３）、照明用赤色発光ダイオード（４５）（発光手段）、塵の侵入を防ぐ防塵プレート（４７）、照射範囲制限部材（４９）を備えた光学モジュール（４０）を有した光学情報読取装置が開示されている。そして、鏡筒（４３）の入射側開口（４３ａ）を防塵プレート（４７）に近づけることによって、防塵プレート（４７）での反射光が鏡筒（４３）内に入射するのを抑えるようにしている。
【先行技術文献】
【特許文献】
【０００５】
【特許文献１】特開平１１−１９５０８２号公報
【発明の概要】
【発明が解決しようとする課題】
【０００６】
しかしながら、上記特許文献１の構成は、防塵プレートから極めて近い位置に鏡筒を配置しなければならないため、装置内において、各部品の配置や組付けの自由度が低くなるといった問題がある。また、種類によっては、光学部品の近くに防塵プレートを配置できない場合もあり、この場合、適用自体が困難であった。
【０００７】
例えば、据置型の読取装置のように防塵プレート（透明パネル）上に読取対象物を接触させて使用されやすいものでは、防塵プレート付近でもある程度視野範囲に収まるように、防塵プレートを光学部品や撮像手段から離して配置する必要があり、このような読取装置では、特許文献１のような手法（即ち、光学部品のすぐ近くに防塵プレートを配置する手法）を用いることはできない。また、このような読取装置に限らず、他種の読取装置でも、光学部品のすぐ近くに防塵プレートを配置する構成を用いると、組付け公差を極めて小さくしなければならないため製造上不利であり、ケース外から衝撃等が加わった場合に光学部品と防塵プレートとが接触し、破壊に繋がる懸念もある。
【０００８】
本発明は、上述した課題を解決するためになされたものであり、防塵プレートを備えた光学的情報読取装置において、防塵プレートでの照明光の反射に起因する映り込みの影響を抑え、読み取り精度の向上を図ることが可能な構成をより簡素に実現することを目的とする。
【課題を解決するための手段】
【０００９】
上記目的を達成するため、本発明は、読取口を有するケースと、前記ケース内に設けられ、情報コードに対して前記読取口を介して照明光を照射する照明手段と、前記照明光及び前記ケース外からの光が透過可能となる透光部材からなり、前記読取口に配される防塵プレートと、所定の受光領域を備えた撮像手段と、所定の第１視野範囲において前記ケース外から前記防塵プレートを透過して入り込む光の像を前記受光領域に結像可能に構成され、前記第１視野範囲内に前記情報コードが配されたときに当該情報コードの像を前記受光領域に結像させる結像手段と、を備え、前記防塵プレートは、前記結像手段の前記第１視野範囲において前記撮像手段が設けられる側とは反対側に凸となるように内面が湾曲する湾曲部が設けられており、前記ケース内からの光が前記湾曲部の内面で反射して生じる内面反射光を前記結像手段が前記受光領域に結像させるときの視野範囲を第２視野範囲としたとき、前記照明手段が前記第２視野範囲から外れた位置に配置されていることを特徴とする。
【発明の効果】
【００１０】
請求項１の発明では、情報コードに対して読取口を介して照明光を照射する照明手段がケース内に設けられている。また、透光部材から構成される防塵プレートが読取口に配置されている。そして、防塵プレートには、結像手段の所定の第１視野範囲において撮像手段が設けられる側とは反対側に凸となるように内面が湾曲する湾曲部が設けられている。さらに、ケース内からの光が湾曲部の内面で反射して生じる内面反射光を結像手段が受光領域に結像させるときの視野範囲を第２視野範囲としたときに、照明手段が第２視野範囲から外れた位置に配置されている。
このように、防塵プレートに湾曲部を設け、照明手段を第２視野範囲から外れた位置に配置することで、撮像手段で撮像される画像において、防塵プレートでの照明光の反射に起因する映り込みの影響を抑え、読み取り精度の向上を図ることが可能となる。さらに、防塵プレートに湾曲部を設ける簡素な構成により上記効果を奏することができる。
【００１１】
請求項２の発明では、結像手段は、少なくとも一部が第２視野範囲内に位置している。そして、第２視野範囲においてケース内からの光が湾曲部の内面に到達するまでの範囲が、結像手段に近づくにつれて次第に狭くなるように構成されている。すなわちこの構成では、第２視野範囲（防塵プレートで折り返した視野範囲）を結像手段付近に収束させるようにしているので、内面反射光の影響をより抑えることができる。
【００１２】
請求項３の発明では、結像手段は、所定位置を主点とする結像レンズから構成されている。そして、湾曲部の内面は、この結像レンズの主点を中心とする仮想球面上に位置するように構成されている。このように湾曲部の内面を構成することで、第２視野範囲を結像手段付近により収束させることができ、内面反射光の影響をより抑えることができる。
【００１３】
請求項４の発明では、防塵プレートは、湾曲部が形成されている部位の厚さが略均一となるように構成されている。このように構成することで、撮像手段で撮像される情報コードの画像の歪みを抑えることができ、より読み取り精度の向上を図ることができる。
【００１４】
請求項５の発明では、当該光学的情報読取装置は、載置面上に載置される据置型装置として構成されている。また、結像手段によって構成される第１視野範囲の中心軸上に湾曲部の頂点が位置している。通常、載置面上に載置されて使用される据置型の光学的情報読取装置の場合、防塵プレートの外面側に、情報コードが付された読取対象物を接触させて読み取らせる場合もある。そして、このように、防塵プレートの湾曲部を構成することで、湾曲部の頂点を読み取り位置の目安にすることができる。さらに、湾曲部の頂点が中心軸上にあるため、頂点位置付近に情報コードが位置するように配置すれば、撮像範囲から情報コードが外れにくくなり、読取の失敗を少なくすることができる。
【図面の簡単な説明】
【００１５】
【図１】図１は、第１実施形態に係る据置型の光学的情報読取装置の構成を説明する断面説明図である。
【図２】図２は、第１実施形態に係る光学的情報読取装置の電気的構成を示すブロック図である。
【図３】図３は、第１実施形態における第１変形例に係る据置型の光学的情報読取装置の構成を説明する断面説明図である。
【図４】図４は、第１実施形態における第２変形例に係る据置型の光学的情報読取装置の構成を説明する断面説明図である。
【図５】図５は、第３実施形態に係る携帯型の光学的情報読取装置の構成を説明する断面説明図である。
【図６】図６は、従来の光学的情報読取装置を説明する説明図である。
【発明を実施するための形態】
【００１６】
[第１実施形態]
以下、本発明の光学的情報読取装置を具現化した第１実施形態について、図面を参照して説明する。
（光学的情報読取装置の全体構成）
図１に示す光学的情報読取装置１は、載置面上に載置される据置型装置として構成されており、バーコードやＱＲコード（登録商標）などの情報コードを読み取る情報コードリーダとしての機能を有している。
【００１７】
光学的情報読取装置１は、ＡＢＳ樹脂等の合成樹脂により形成されるケース１１を備えている。ケース１１は箱状形態をなしており、このケース１１の内部には、情報コードＣに対して読取口１２（後述）を介して照明光を照射するＬＥＤ３２（後述）や、受光面３３ａ（所定の受光領域）を備えた受光センサ３３（後述）、情報コードＣの像を受光センサ３３上に結像させる結像レンズ３７（後述）などの各種部品が収容されている。これらは、基板３に実装、あるいは、ケース１１に内装されている（図１では、基板３に実装されている構成を示している）。なお、ＬＥＤ３２は、「照明手段」の一例に相当する。また、受光センサ３３は、「撮像手段」の一例に相当し、結像レンズ３７「結像手段」の一例に相当する。
【００１８】
また、ケース１１には、矩形状の読取口１２が設けられている。なお、本実施形態では、この読取口１２が形成された側を上方側、それとは反対側を下方側とする。そして、ケース１１の上方側には、読取口１２を閉塞した構成で、防塵プレート２０が配置されている。この防塵プレート２０は、光学的情報読取装置１から照明光及びケース１１外からの光が透過可能となる透光部材（例えば、アクリル樹脂やガラス等）から構成されている。そして、この防塵プレート２０を読取口１２に設けることにより、ケース１１内部への塵や埃などの異物の侵入を防止している。また、この防塵プレート２０は、受光センサ３３が設けられる側とは反対側に凸となるように内面２２ａが湾曲する湾曲部２２が設けられており、詳細は後述する。
【００１９】
（光学的情報読取装置の電気的構成）
次に、光学的情報読取装置１の回路３０の電気的構成について説明する。
図２に示すように、回路３０は、主に、ＬＥＤ３２、受光センサ３３、結像レンズ３７等の光学系と、メモリ３５、制御回路４０等のマイクロコンピュータ（以下「マイコン」という）系と、から構成されている。
【００２０】
光学系は、投光光学系と、受光光学系とに分かれている。投光光学系を構成するＬＥＤ３２は、照明光Ｌｆを発光可能な照明光源として機能するもので、例えば、赤色のＬＥＤなどから構成されている。このＬＥＤ３２は、複数個（例えば、８個）設けられているが、図面の都合上、図１、図２では、２つのＬＥＤ３２のみ示している。なお、図２では、情報コードＣが表示された読取対象物Ｒに向けて照明光Ｌｆを照射する例を概念的に示している。照明光Ｌｆは、上述のように、防塵プレート２０を介してケース１１外へ出射される。
【００２１】
受光光学系は、受光センサ３３、結像レンズ３７、反射鏡（図示略）などによって構成されている。受光センサ３３は、ＣＣＤエリアセンサまたはＣＭＯＳセンサとして構成されるものであり、情報コードＣまたは読取対象物Ｒに照射されて反射した反射光Ｌｒを受光可能に構成されている。この受光センサ３３は、結像レンズ３７を介して入射する入射光を受光可能に基板３に実装されている。
【００２２】
結像レンズ３７は、外部から防塵プレート２０を介して入射する入射光を集光して受光センサ３３の受光面３３ａに像を結像可能な結像光学系として機能するものである。本第１実施形態では、ＬＥＤ３２から照射された照明光Ｌｆが情報コードＣにて反射した後、この反射光Ｌｒを結像レンズ３７で集光し、受光センサ３３の受光面３３ａに情報コードＣの像を結像させている。
【００２３】
マイコン系は、増幅回路３１、Ａ／Ｄ変換回路３４、メモリ３５、アドレス発生回路３６、同期信号発生回路３８、制御回路４０等から構成されており、主に、上述した光学系によって、撮像された情報コードＣの画像信号を信号処理するように構成されている。
【００２４】
（特徴的構成）
次に、図１等を参照し、本実施形態の特徴的構成について詳述する。なお、図１では、透明の防塵プレート２０及び結像レンズ３７については白抜きにて概略的に示している。また、情報コードＣについては白抜きで位置を概念的に示しているが、この情報コードＣの構成は、印刷、ダイレクトマーキング、画像表示など様々な構成が想定される。
【００２５】
本実施形態に係る防塵プレート２０は、結像レンズ３７の第１視野範囲において結像レンズ３７が設けられる側とは反対側に凸となるように内面２２ａが湾曲する湾曲部２２が設けられている。ここで、第１視野範囲とは、防塵プレート２０で反射せずに直接入り込む光（防塵プレート２０を透過して直接入り込む光や防塵プレート２０を介さずに直接入り込む光）によって受光センサ３３で撮像しうる範囲のことであり、図１ではαで示した領域となる（なお、主点Ｐよりも受光センサ３３側は省略して示している）。図１の例では、αで示すように、主点から徐々に広がるように第１視野範囲が構成され、防塵プレート２０の外部でも徐々に広がるように第１視野範囲が構成されるようになっている。具体的には、図１のような切断面において所定の画角で第１視野範囲が構成されるようになっている。また、この防塵プレート２０は、湾曲部２２が形成されている部位の厚さが略均一となるように構成されている。このように、防塵プレート２０の湾曲部２２の厚さを全体的に略均一に構成することで、得られる情報コードＣの画像の歪みを抑えることができる。
【００２６】
そして、本実施形態の構成では、ケース１１内からの光が、この湾曲部２２の内面２２ａで反射して生じる内面反射光を結像レンズ３７が受光面３３ａ（受光領域）に結像させるときの視野範囲（すなわち、防塵プレート２０で折り返した視野範囲）を第２視野範囲としたとき、ＬＥＤ３２は、第２視野範囲から外れた位置に配置されている。なお、この第２視野範囲は、防塵プレート２０の内側からの光が防塵プレート２０で反射して生じる光に基づいて受光センサ３３で撮像しうる範囲のことであり、図１ではβで示した領域となる（なお、主点Ｐよりも受光センサ３３側は省略している）。図１の例では、主点Ｐと防塵プレート２０との間の領域において、湾曲部２２から主点Ｐに近づくにつれて徐々に狭くなるように第２視野範囲βが構成されるようになっている。なお、図１の例では、第１視野範囲αにおける主点Ｐから湾曲部２２までの領域と、第２視野範囲βにおける主点Ｐから湾曲部２２までの領域とがほぼ一致し、ケース１１の内部では、第１視野範囲αと第２視野範囲βが大部分で重なるようになっている。
【００２７】
また、結像レンズ３７は、第１視野範囲αにおいてケース１１外から防塵プレート２０を透過して入り込む光の像を受光面３３ａに結像可能に構成され、第１視野範囲α内に情報コードＣが配されたときに当該情報コードＣの像を受光面３３ａに結像させるようになっている。そして、結像レンズ３７は、少なくとも一部が第２視野範囲β内に位置しており、第２視野範囲βにおいてケース１１内からの光が湾曲部２２の内面２２ａに到達するまでの範囲が、結像レンズ３７に近づくにつれて次第に狭くなるようになっている。なお、図６に、防塵プレート１０２０に湾曲部２２が設けられていない従来の光学的情報読取装置１００１の構成を比較のために示す。このように、防塵プレート１０２０が平板形状である場合には、防塵プレート１０２０の内面２２ａで反射して生じる内面反射光を結像レンズ３７が受光面３３ａ（受光領域）に結像させるときの第２視野範囲βは、結像レンズ３７に近づくにつれて広がってしまうことがわかる。
【００２８】
さらに、湾曲部２２の内面２２ａは、結像レンズ３７の主点Ｐを中心とする仮想球面Ｓ上に位置するように構成されている。即ち、当該仮想球面Ｓの一部と一致する位置に内面２２ａが配され、仮想球面Ｓの曲率と同じ曲率で構成されている。なお、結像レンズ３７の主点Ｐから防塵プレート２０の内面２２ａまでの距離が、仮想球面Ｓの半径と略等しくなるように構成されている。また、湾曲部２２の頂点は、第１視野範囲αの中心軸Ａ上に位置するように構成されている。ここでは、受光センサ３３の受光面３３ａと直交する方向であって主点Ｐを通る仮想軸線を中心軸Ａとしている。具体的には、透明な湾曲部２２が上記中心軸Ａ上に位置するように防塵プレート２０が構成されており、更に防塵プレート２０では、この湾曲部２２を環状に取り囲むように中心軸Ａと直交する方向の板面を有する透明な平坦部が配されている。
【００２９】
以上説明したように、本第１実施形態に係る光学的情報読取装置１では、情報コードＣに対して読取口１２を介して照明光を照射するＬＥＤ３２がケース１１内に設けられている。また、透光部材から構成される防塵プレート２０が読取口１２に配置されている。そして、防塵プレート２０には、結像レンズ３７の所定の第１視野範囲αにおいて受光センサ３３が設けられる側とは反対側に凸となるように内面２２ａが湾曲する湾曲部２２が設けられている。さらに、ケース１１内からの光が湾曲部２２の内面２２ａで反射して生じる内面反射光を結像レンズ３７が受光領域に結像させるときの視野範囲を第２視野範囲βとしたときに、ＬＥＤ３２が第２視野範囲βから外れた位置に配置されている。
このように、防塵プレート２０に湾曲部２２を設け、ＬＥＤ３２を第２視野範囲βから外れた位置に配置することで、受光センサ３３で撮像される画像において、防塵プレート２０での照明光の反射に起因する映り込みの影響を抑え、読み取り精度の向上を図ることが可能となる。さらに、防塵プレート２０に湾曲部２２を設ける簡素な構成により上記効果を奏することができる。
【００３０】
具体的には、図１の切断面と平行な方向であって且つ中心軸Ａと直交する方向（図１の左右方向）を幅方向としたとき、防塵プレート２０と受光センサ３３の間の領域では、当該幅方向においてＬＥＤ３２よりも受光センサ３３側の位置のみに第２視野範囲βが構成されるようになっている。具体的には、中心軸Ａを挟んで幅方向両側にＬＥＤ３２，３２が設けられており、幅方向におけるこれらＬＥＤ３２，３２よりも内側の領域のみに第２視野範囲βが構成され、主点Ｐに近づくにつれて徐々に狭くなるようになっている。このようにすることで、ＬＥＤ３２からの直接光のみならず間接光も第２視野範囲βに入り込みにくくなる。
【００３１】
また、第２視野範囲βからの光は全て内面２２ａで反射するようになっており（即ち、防塵プレート２０において第２視野範囲βからの光を反射する領域は湾曲部２２の内面２２ａとなっており）、幅方向において内面２２ａが設けられた領域は、ＬＥＤ３２よりも中心軸Ａ側（即ち、受光センサ３３側）となっている。具体的には、幅方向両側のＬＥＤ３２，３２よりも幅方向内側の領域のみに湾曲部２２の内面２２ａが構成され、ＬＥＤ３２から中心軸Ａと平行に照射される照射光が内面２２ａに入り込みにくくなっている。
【００３２】
また、結像レンズ３７は、少なくとも一部が第２視野範囲β内に位置している。そして、第２視野範囲βにおいてケース１１内からの光が湾曲部２２の内面２２ａに到達するまでの範囲が、結像レンズ３７に近づくにつれて次第に狭くなるように構成されている。すなわちこの構成では、第２視野範囲β（防塵プレート２０で折り返された視野範囲）を結像レンズ３７付近に収束させるようにしているので、内面反射光の影響をより抑えることができる。
【００３３】
また、結像レンズ３７は、所定位置を主点Ｐとする結像レンズから構成されている。そして、湾曲部２２の内面２２ａは、この結像レンズの主点Ｐを中心とする仮想球面Ｓ上に位置するように構成されている。このように湾曲部２２の内面２２ａを構成することで、第２視野範囲βを結像レンズ３７付近により収束させることができ、内面反射光の影響をより抑えることができる。
【００３４】
また、防塵プレート２０は、湾曲部２２が形成されている部位の厚さが略均一となるように構成されている。このように構成することで、受光センサ３３で撮像される情報コードＣの画像の歪みを抑えることができ、より読み取り精度の向上を図ることができる。
【００３５】
また、当該光学的情報読取装置１は、載置面上に載置される据置型装置として構成されている。また、結像レンズ３７によって構成される第１視野範囲αの中心軸上に湾曲部２２の頂点が位置している。通常、載置面上に載置されて使用される据置型の光学的情報読取装置の場合、防塵プレート２０の外面側に、情報コードＣが付された読取対象物を接触させて読み取らせる場合もある。そして、このように、防塵プレート２０の湾曲部２２を構成することで、湾曲部２２の頂点を読み取り位置の目安にすることができる。さらに、湾曲部２２の頂点が中心軸上にあるため、頂点位置付近に情報コードＣが位置するように配置すれば、撮像範囲から情報コードＣが外れにくくなり、読取の失敗を少なくすることができる。
【００３６】
次に、本発明の第１実施形態における第１変形例に係る光学的情報読取装置１０１について、図３を参照して説明する。
本第１実施形態における第１変形例では、図３に示すように、ＬＥＤ３２、受光センサ３３、結像レンズ３７などの各種部品が内ケース１１ａ内に収容されている。また、内ケース１１ａの少なくとも上方側の壁部は、透光部材より構成されている。そして、この内ケース１１ａが、ケース１１内に配置されている。
【００３７】
この構成においても、上述した第１実施形態と同様の効果を得ることができる。また、この構成では、従来の据置型の光学的情報読取装置においても、湾曲部２２の設けられた防塵プレート２０が上方側に設けられたケース１１内に載置されることで、同様の効果を奏することができる。
【００３８】
次に、本発明の第１実施形態における第２変形例に係る光学的情報読取装置２０１について、図４を参照して説明する。
上述した第１実施形態では、湾曲部２２の内面２２ａは、結像レンズ３７の主点Ｐを中心とする仮想球面Ｓ上に位置するように構成された例を示したが（すなわち、湾曲部２２が仮想球面Ｓの一部をなす構成）、湾曲部２２は、例えば図４に示すように、曲面部２２２ａと平面部２２２ｂとから構成されていてもよい。
【００３９】
なお、このように、湾曲部２２が曲面部２２２ａと平面部２２２ｂで構成される場合でも、図４に示すように、防塵プレート２０で折り返した視野範囲（即ち、防塵プレート２０の内側からの光が防塵プレート２０で反射して生じる光に基づいて受光センサ３３で撮像しうる範囲（第２視野範囲β））が結像レンズ３７付近にとどまるようにする構成が望ましい。
【００４０】
次に、本発明の第１実施形態における第３変形例に係る光学的情報読取装置３０１について、図５を参照して説明する。
上述した第１実施形態では、光学的情報読取装置１が、載置面上に載置される据置型装置として構成された例を示したが、携帯端末として構成することもできる。図５に、携帯端末として構成される光学的情報読取装置３０１を示す。なお、第１実施形態の光学的情報読取装置１と実質的に同一の構成部分には、同一符号を付してある。
【００４１】
図５に示すように、光学的情報読取装置３０１では、防塵プレート２０は、読取口１２の開口端部１２ａから奥まった位置に配置されている。なお、この開口端部１２ａには、傷付きを防止するためのゴム部材が設けられている。また、湾曲部２２の周囲に平坦な板状部２４が設けられている。そして、結像レンズ３７は、湾曲部２２に対向する位置に配置されており、ＬＥＤ３２は、板状部２４に対向する位置に配置されている。
【００４２】
この例でも、図５の切断面と平行な方向であって且つ中心軸Ａと直交する方向（図５の左右方向）を幅方向としたとき、防塵プレート２０と受光センサ３３の間の領域では、当該幅方向においてＬＥＤ３２よりも受光センサ３３側の位置のみに第２視野範囲βが構成されるようになっている。具体的には、中心軸Ａを挟んで幅方向両側にＬＥＤ３２，３２が設けられており、幅方向におけるこれらＬＥＤ３２，３２よりも内側の領域のみに第２視野範囲βが構成され、主点Ｐに近づくにつれて徐々に狭くなるようになっている。
【００４３】
また、第２視野範囲βからの光は全て内面２２ａで反射するようになっており（即ち、防塵プレート２０において第２視野範囲βからの光を反射する領域は湾曲部２２の内面２２ａとなっており）、幅方向において内面２２ａが設けられた領域は、ＬＥＤ３２よりも中心軸Ａ側（即ち、受光センサ３３側）となっている。そして、幅方向両側のＬＥＤ３２，３２よりも幅方向内側の領域のみに湾曲部２２の内面２２ａが構成され、ＬＥＤ３２，３２から各レンズを介して照射される照明光の光軸方向が中心軸Ａと平行になっており、ＬＥＤ３２，３２からの照明光は大部分が板状部２４に入り込み、内面２２ａに入り込みにくくなっている。
【００４４】
このような構成をなす携帯型の光学的情報読取装置３０１では、防塵プレート２０に情報コードＣを接触させて読み取らないため、防塵プレート２０の配置自由度が高くなる。また、ＬＥＤ３２は、板状部２４に対向して配置されているため、反射光や間接光が第２視野範囲βに入り込みにくくすることができる。
【００４５】
［他の実施形態］
本発明は上記記述及び図面によって説明した実施形態に限定されるものではなく、例えば次のような実施形態も本発明の技術的範囲に含まれる。
【００４６】
上記第１実施形態では、湾曲部２２の内面２２ａは、結像レンズ３７の主点Ｐを中心とする仮想球面Ｓ上に位置するように構成された例を示したが、防塵プレート２０で折り返した視野範囲が（第２視野範囲β）が結像レンズ３７周辺にとどまる構成であれば、この限りではない。
【符号の説明】
【００４７】
１、１０１、２０１、３０１…光学的情報読取装置
３…基板
１１…ケース
１２…読取口
２０…防塵プレート
２２…湾曲部
２２ａ…湾曲部の内面
３２…ＬＥＤ（照明手段）
３３…受光センサ（撮像手段）
３３ａ…受光面
３７…結像レンズ（結像手段）
Ｃ…情報コード
Ｐ…主点
Ｓ…仮想球面
α…第１視野範囲
β…第２視野範囲
【図１】
0005708539.tif 000002
【図２】
0005708539.tif 000003
【図３】
0005708539.tif 000004
【図４】
0005708539.tif 000005
【図５】
0005708539.tif 000006
【図６】
0005708539.tif 000007